(57)【要約】【課題】ホルダと光電変換素子搭載部との間に位置ずれが発生した場合でも、筐体に装着できるプラグ及び光伝送モジュールを提供することである。【解決手段】プラグ１は、光ファイバ１００の一端に設けられる。プラグ１は、光ファイバ１００と光学的に接続される光電変換素子４と、光電変換素子４が内蔵されている光電変換素子搭載部８と、光ファイバ１００が取り付けられるホルダ６と、を有している。光電変換素子搭載部８の長方形状をなしている面Ｓ１とホルダ６の面Ｓ２とは対向している。面Ｓ１の長辺の長さは、面Ｓ１の長辺方向における面Ｓ２の長さよりも短く、かつ、面Ｓ１の短辺の長さは、面Ｓ１の短辺方向における面Ｓ２の長さよりも短い。【選択図】図１
2012068391.tif 000002
【特許請求の範囲】
【請求項１】
光ファイバの一端に設けられるプラグであって、
前記光ファイバと光学的に接続される光電変換素子と、
直方体状をなし、かつ、前記光電変換素子を内蔵している光電変換素子搭載部と、
前記光ファイバが取り付けられるホルダと、
を有しており、
前記光電変換素子搭載部の第１の面と前記ホルダの第２の面とは接合されており、
前記第１の面の長辺の長さは、該第１の面の長辺方向における前記第２の面の長さよりも短く、かつ、該第１の面の短辺の長さは、該第１の面の短辺方向における該第２の面の長さよりも短いこと、
を特徴とするプラグ。
【請求項２】
前記ホルダに取り付けられ、かつ、前記光ファイバを保持する保持部材を、
更に備えていること、
を特徴とする請求項１に記載のプラグ。
【請求項３】
前記光ファイバの中心軸と前記光電変換素子の受光面の法線とは、一致していること、
を特徴とする請求項１又は請求項２に記載のプラグ。
【請求項４】
前記ホルダには、前記光ファイバを保持するためのＶ字型の断面を有する溝が、設けられていること、
を特徴とする請求項１ないし請求項３のいずれかに記載のプラグ。
【請求項５】
前記光ファイバと前記ホルダとを接着する接着剤及び前記光電変換素子搭載部と前記ホルダとを接着する接着剤は、異なる材料によって構成されていること、
を特徴とする請求項１ないし請求項４のいずれかに記載のプラグ。
【請求項６】
前記光電変換素子の受光面は、前記第１の面の法線方向から見たときに、該第１の面の対角線の交点上に重なっていること、
を特徴とする請求項１ないし請求項５のいずれかに記載のプラグ。
【請求項７】
前記光電変換素子の受光面は、前記第１の面の法線方向から見たときに、該第１の面の対角線の交点上に重なっていないこと、
を特徴とする請求項１ないし請求項５のいずれかに記載のプラグ。
【請求項８】
請求項１ないし請求項７のいずれかに記載のプラグと、
前記プラグを収容する箱状の筐体と、
を備えている光伝送モジュール。
【請求項９】
前記ホルダに取り付けられ、かつ、前記光ファイバを保持する保持部材を、
更に備え、
前記保持部材は、前記筐体の内周面と嵌合する凸部を、
有していること、
を特徴とする請求項８に記載の光伝送モジュール。
【請求項１０】
光ファイバの一端に設けられるプラグであって、
前記光ファイバと光学的に接続される光電変換素子と、
直方体状をなし、かつ、前記光電変換素子を内蔵している光電変換素子搭載部と、
前記光ファイバが取り付けられるホルダと、
を有しており、
前記光電変換素子搭載部の第１の面と前記ホルダの第２の面とは接合されており、
前記第１の面の長辺の長さは、該第１の面の長辺方向における前記第２の面の長さよりも長く、かつ、該第１の面の短辺の長さは、該第１の面の短辺方向における該第２の面の長さよりも長いこと、
を特徴とするプラグ。
【発明の詳細な説明】
【技術分野】
【０００１】
本発明は、プラグ及び光伝送モジュールに関し、より特定的には、光ファイバにより信号を伝送する際に用いられるプラグ及び光伝送モジュールに関する。
【背景技術】
【０００２】
従来のプラグとしては、例えば、以下に説明するプラグが知られている。図９は、従来のプラグ５００の外観斜視図である。
【０００３】
プラグ５００は、図９に示すように、直方体状をなしており、光電変換素子５０４、光電変換素子搭載部５０６及びホルダ５０８を備えている。プラグ５００は、図９に示すように、光ファイバ５０２の一端に設けられ、光信号を電気信号に変換、又は、電気信号を光信号に変換する。以下では、光ファイバ５０２が延在している方向をｘ軸方向と定義し、ｘ軸方向から見たときに、光電変換素子搭載部５０６の長辺が延在している方向をｙ軸方向と定義し、ｘ軸方向から見たときに光電変換素子搭載部５０６の短辺が延在している方向をｚ軸方向とする。ｘ軸方向、ｙ軸方向及びｚ軸方向は、互いに直交している。
【０００４】
光電変換素子搭載部５０６は、基板５２０及び封止部５２２を有し、かつ、直方体状をなしている。基板５２０及び封止部５２２は、それぞれ直方体状をなしており、ｘ軸方向の負方向側から正方向側へとこの順に並んでいる。光電変換素子５０４は、光ファイバ５０２と光学的に接続されており、基板５２０に実装されている。ホルダ５０８には、ｚ軸方向の正方向側の面に光ファイバ５００を保持するためのＶ字型の断面を有する溝Ｖが設けられている。
【０００５】
以上のようなプラグ５００は、直方体の箱状をなした筐体に収容されて使用される。そして、筐体の内周面は、プラグ５００が容易に筐体から脱落しないように、プラグ５００の外周面とほぼ同じ形状に設計されている。
【０００６】
しかしながら、プラグ５００は、以下に説明するように、筐体に装着できないおそれがあるという問題を有している。図１０は、従来のプラグ５００の問題点を説明するためのプラグ５００及び筐体５１２の概略構成図である。図９に示すように、光電変換素子搭載部５０６のｘ軸方向の正方向側の面Ｐ１の外縁とホルダ５０８のｘ軸方向の負方向側の面Ｐ２の外縁とは、溝Ｖ以外の部分で一致している。そのため、図１０に示すように、光電変換素子搭載部５０６とホルダ５０８との間に位置ずれがわずかに発生しただけで、光電変換素子搭載部５０６がホルダ５０８からはみ出してしまう。光電変換素子搭載部５０６がホルダ５０８からはみ出すと、プラグ５００の大きさが、はみ出した分だけ大きくなる。その結果、プラグ５００を筐体５１２に装着することができなくなる。
【０００７】
なお、特許文献１に記載の光モジュールにおいては、プラグ５００のように、プラグがホルダと光電変換素子搭載部との２つの部分に分かれていない。そのため、ホルダと光電変換素子搭載部との間に位置ずれが発生することはない。よって、プラグ５００において生じる問題は、特許文献１に記載の光モジュールでは生じない。
【先行技術文献】
【特許文献】
【０００８】
【特許文献１】特開２００５−１６５３６７号公報
【発明の概要】
【発明が解決しようとする課題】
【０００９】
そこで、本発明の目的は、光電変換素子搭載部とホルダとの間に位置ずれが発生した場合でも筐体に装着できるプラグ及び光伝送モジュールを提供することである。
【課題を解決するための手段】
【００１０】
本発明の一形態に係るプラグは、光ファイバの一端に設けられるプラグであって、前記光ファイバと光学的に接続される光電変換素子と、直方体状をなし、かつ、前記光電変換素子を内蔵している光電変換素子搭載部と、前記光ファイバが取り付けられるホルダと、を有しており、前記光電変換素子搭載部の第１の面と前記ホルダの第２の面とは接合されており、前記第１の面の長辺の長さは、該第１の面の長辺方向における前記第２の面の長さよりも短く、かつ、該第１の面の短辺の長さは、該第１の面の短辺方向における該第２の面の長さよりも短いこと、を特徴とする。
【００１１】
本発明の一形態に係る光伝送モジュールは、前記プラグと、前記プラグを収容する箱状の筐体と、を備えていること、を特徴とする。
【００１２】
本発明の一形態に係るプラグは、光ファイバの一端に設けられるプラグであって、前記光ファイバと光学的に接続される光電変換素子と、直方体状をなし、かつ、前記光電変換素子を内蔵している光電変換素子搭載部と、前記光ファイバが取り付けられるホルダと、を有しており、前記光電変換素子搭載部の第１の面と前記ホルダの第２の面とは接合されており、前記第１の面の長辺の長さは、該第１の面の長辺方向における前記第２の面の長さよりも長く、かつ、該第１の面の短辺の長さは、該第１の面の短辺方向における該第２の面の長さよりも長いこと、を特徴とする。
【発明の効果】
【００１３】
本発明によれば、光電変換素子搭載部とホルダとの間に位置ずれが発生した場合でも筐体にプラグを装着できる。
【図面の簡単な説明】
【００１４】
【図１】本発明の一実施形態に係るプラグの分解斜視図である。
【図２】図１のプラグを裏面から見た図である。
【図３】プラグの光電変換素子搭載部の拡大図である。
【図４】光伝送モジュールの外観斜視図である。
【図５】光伝送モジュールの分解斜視図である。
【図６】携帯電話の断面構造図である。
【図７】第１の変形例に係るプラグの外観斜視図である。
【図８】第２の変形例に係るプラグの基板の拡大図である。
【図９】従来のプラグの外観斜視図である。
【図１０】従来のプラグの問題点を説明するためのプラグ及び筐体の概略構成図である。
【発明を実施するための形態】
【００１５】
以下に、本発明の一実施形態に係るプラグ及び光伝送モジュールについて図面を参照しながら説明する。
【００１６】
（プラグの構成）
以下に、本発明の一実施形態に係るプラグについて図面を参照しながら説明する。図１は、本発明の一実施形態に係るプラグ１の分解斜視図である。図２は、図１のプラグ１を裏面から見た図である。図３は、図１のプラグ１の光電変換素子搭載部８の拡大図である。
【００１７】
プラグ１は、図１に示すように、直方体状をなしており、光電変換素子４、ホルダ６、光電変換素子搭載部８及び保持部材９を備えている。プラグ１は、図１に示すように、光ファイバ１００の一端に設けられ、光信号を電気信号に変換、又は、電気信号を光信号に変換する。以下では、光ファイバ１００が延在している方向をｘ軸方向と定義し、ｘ軸方向から平面視したときに、光電変換素子搭載部８の長辺が延在している方向をｙ軸方向と定義し、ｘ軸方向から平面視したときに光電変換素子搭載部８の短辺が延在している方向をｚ軸方向とする。ｘ軸方向、ｙ軸方向及びｚ軸方向は、互いに直交している。
【００１８】
光ファイバ１００は、被覆１０２及び芯線１０４により構成されている。芯線１０４は、ガラス又は樹脂からなるコア及びクラッドにより構成されている。被覆１０２は、ＵＶ、フッ素、シリコーン樹脂のいずれかであり、芯線１０４を被覆している。光ファイバ１００のｘ軸方向の負方向側の端部では、被覆１０２が除去されて芯線１０４が露出している。
【００１９】
ホルダ６は、直方体状をなし、液晶ポリマーのような樹脂等の絶縁性材料により作製されている。但し、ホルダ６には、溝Ｖが設けられており、光ファイバ１００が取り付けられる。溝Ｖは、ホルダ６のｚ軸方向の正方向側の面に光ファイバ１００を保持するために、ｘ軸方向に延在するように設けられている。溝Ｖは、図１に示すように、前半部Ｖ１及び後半部Ｖ２によって構成されている。前半部Ｖ１は、溝Ｖにおいてｘ軸方向の負方向側の部分である。前半部Ｖ１は、芯線１０４を保持するためのＶ字型の断面を有している。後半部Ｖ２は、溝Ｖにおいてｘ軸方向の正方向側の部分である。後半部Ｖ２は、被覆１０２を保持するための底部が平担なＶ字型の断面を有している。本実施形態において、被覆１０２の直径は、芯線１０４の直径よりも大きいため、後半部Ｖ２の深さは、前半部Ｖ１の深さよりも深い。光ファイバ１００は、図１に示すように、芯線１０４が前半部Ｖ１に載置され、被覆１０２が後半部Ｖ２に載置されて、接着剤によって、溝Ｖ上に固定される。
【００２０】
保持部材９は、板状の金属製の部材であって、図２に示すように、ホルダ６のｚ軸方向の負方向側に取り付けられ、光ファイバ１００を保持する。保持部材９は、ホルダ６と一体成型され、本体部９０、かしめ部９２及び延在部９４によって構成されている。図２に示すように、本体部９０は、ホルダ６のｚ軸方向の負方向側の面を覆っているとともに、ホルダ６のｙ軸方向の両側面を覆っている。かしめ部９２は、ホルダ６のｘ軸方向の正方向側で被覆１０２をかしめることにより、光ファイバ１００を保持している。延在部９４は、ｘ軸方向に延在しており、本体部９０とかしめ部９２とを接続している。このような構成によって、保持部材９は、ホルダ６と光ファイバ１００とを保持している。
【００２１】
また、保持部材９は、図１及び図２に示すように、ｙ軸方向の正方向側及びｙ軸方向の負方向側の面に凸部６５ａ，６５ｂを有している。凸部６５ａ，６５ｂは、光伝送モジュール（後述する）の筐体の内周面と嵌合するように構成されている突起である。
【００２２】
光電変換素子搭載部８は、図１に示すように、後述する光電変換素子４を内蔵している直方体の部材であり、封止部８１及び基板８３を有している。封止部８１及び基板８３はそれぞれ、直方体状をなしており、ｘ軸方向の正方向側から負方向側へとこの順に並んでいる。
【００２３】
基板８３は、図３に示すように、金属によって構成されたスルーホール導体４４，４６を含んでいる。スルーホール導体４４，４６は、基板８３をｘ軸方向に貫通している。スルーホール導体４４は、端子部４４ａ，４４ｂを有している。端子部４４ａは、スルーホール導体４４のｘ軸方向の正方向側の端面であり、基板８３のｘ軸方向の正方向側の側面に位置している。端子部４４ｂは、スルーホール導体４４のｘ軸方向の負方向側の端面であり、基板８３のｘ軸方向の負方向側の側面に位置している。端子部４４ｂは、外部端子として機能する。スルーホール導体４６は、端子部４６ａ，４６ｂを有している。端子部４６ａは、スルーホール導体４６のｘ軸方向の正方向側の端面であり、基板８３のｘ軸方向の正方向側の側面に位置している。端子部４６ｂは、スルーホール導体４６のｘ軸方向の負方向側の端面であり、基板８３のｘ軸方向の負方向側の側面に位置している。端子部４６ｂは、外部端子として機能する。
【００２４】
光電変換素子４は、光ファイバ１００と光学的に接続され、入射してきた光の強度に応じた電圧の信号を出力する受光素子である。光ファイバ１００の中心軸と光電変換素子４の受光面の法線とは、一致している。光電変換素子４の受光面は、光電変換素子搭載部８のｘ軸方向の正方向側の面（以下、面Ｓ１と称す）の法線方向から見たときに、面Ｓ１の対角線の交点に重なっている。光電変換素子４は、端子部４６ａに実装される。更に、端子部４４ａと光電変換素子４とは、ワイヤＸを用いて、ワイヤボンディングによって電気的に接続されている。
【００２５】
封止部８１は、透明な樹脂（エポキシ系のトランスファー成型用透明樹脂（品名：ＮＴ−５１０））等の絶縁性材料により作製され、基板８３及び光電変換素子４を封止している透明な樹脂である。
【００２６】
ここで、図１に示すように、ホルダ６のｘ軸方向の負方向側の面を面Ｓ２とする。面Ｓ１と面Ｓ２とは接合されている。そして、面Ｓ１において、ｙ軸方向（長辺方向）に延在している辺の長さをＷ１、ｚ軸方向（短辺方向）に延在している辺の長さをＨ１とし、面Ｓ２において、ｙ軸方向（面Ｓ１における長辺方向）に延在している辺の長さをＷ２、ｚ軸方向（面Ｓ１における短辺方向）に延在している辺の長さをＨ２とする。この場合、図１に示すように、Ｗ１はＷ２よりも短く、Ｈ１は、Ｈ２よりも短い。これによって、ｘ軸方向の負方向側からプラグ１を平面視した場合、光電変換素子搭載部８の周囲には、ホルダ６がはみ出している。なお、面Ｓ２は、長方形状であるとしたが、長方形状でなくとも、面Ｓ２のｙ軸方向の長さが、面Ｓ１のｙ軸方向に延在している辺の長さＷ１よりも長く、面Ｓ２のｚ軸方向の長さが、面Ｓ１のｚ軸方向に延在している辺の長さＨ１よりも長くなっていればよい。
【００２７】
以上のように構成されたホルダ６と光電変換素子搭載部８とは、面Ｓ１と面Ｓ２とが接着剤によって接着されることで接合されている。この接着剤は、ホルダ６と封止部８１とを接着するだけでなく、ホルダ６と光ファイバ１００とも接着している。そして、溝Ｖに光ファイバ１００が固定されることで、光電変換素子４は、光ファイバ１００と光学的に接続される。
【００２８】
以上のように構成されたプラグ１は、直方体の箱状をなした筐体に収容されて使用される。以下では、筐体にプラグ１が装着されてなる光伝送モジュールについて説明する。
【００２９】
（光伝送モジュールの構成）
以下に、光伝送モジュール１０の概略構成について図面を参照しながら説明する。図４は、光伝送モジュール１０の外観斜視図である。図５は、光伝送モジュール１０の分解斜視図である。図６は、携帯電話２００の断面構造図である。
【００３０】
光伝送モジュール１０は、図４に示すように、直方体状をなしており、プラグ１、回路モジュール１４及び筐体１６を備えている。光伝送モジュール１０は、図４に示すように、光ファイバ１００の一端に設けられている。以下では、光ファイバ１００が延在している方向をｘ軸方向と定義し、プラグ１及び回路モジュール１４が並んでいる方向をｙ軸方向と定義し、ｘ軸方向とｙ軸方向とに直交している方向をｚ軸方向と定義する。ｘ軸方向、ｙ軸方向及びｚ軸方向は、互いに直交している。
【００３１】
筐体１６は、ｙ軸方向の負方向側の半分の部分において板状をなしており、ｙ軸方向の正方向側の半分の部分においてｚ軸方向の正方向側の主面が開口した箱状をなしている。そして、筐体１６の板状の部分には、回路モジュール１４が実装され、筐体１６の箱状の部分には、プラグ１が収容されている。
【００３２】
また、図５に示すように、筐体１６の箱状の部分の内周面には、凹部１７ａ，１７ｂが設けられている。凹部１７ａは、筐体１６のｙ軸方向の正方向側の内周面に設けられている。凹部１７ｂは、筐体１６のｙ軸方向の負方向側の内周面に設けられている。
【００３３】
また、筐体１６の箱状部分の内部には、接続端子１９ａ，１９ｂが設けられている。接続端子１９ａ，１９ｂは、筐体１６のｘ軸方向の負方向側の内周面に、ｙ軸方向の負方向側から正方向側へとこの順に並ぶように設けられている。接続端子１９ａは、図３に示す端子部４４ｂと電気的に接続される。接続端子１９ｂは、図３に示す端子部４６ｂと電気的に接続される。
【００３４】
図５に示すように、プラグ１は、光ファイバ１００がｘ軸方向に延在し、保持部材９の本体９０が光伝送モジュール１０のｚ軸方向の正方向側の部分に配置されるように、筐体１６にはめ込まれる。このとき、凸部６５ａ，６５ｂが、凹部１７ａ及び凹部１７ｂとそれぞれ嵌合することで、プラグ１は固定される。また、接続端子１９ａ，１９ｂがそれぞれ、端子部４４ｂ，４６ｂに圧接する。これにより、プラグ１は、筐体１６のｘ軸方向の正方向側の内周面に押し付けられて筐体１６に固定される。
【００３５】
以上のように構成された光伝送モジュール１０は、例えば、携帯電話に用いられる。以下に、光伝送モジュール１０が用いられた携帯電話について図面を参照しながら説明する。図６は、携帯電話２００の断面構造図である。
【００３６】
携帯電話２００は、図６に示すように、２つ折り型の携帯電話であり、表示部２０２及び操作部２０４を備えている。そして、表示部２０２は、ヒンジ２０６により回動可能に操作部２０４に対して取り付けられている。また、表示部２０２及び操作部２０４の内部にはそれぞれ、回路基板２０８，２１０が設けられている。
【００３７】
以上のような携帯電話２００において、光伝送モジュール１０は、回路基板２０８と回路基板２１０との接続に用いられる。具体的には、光ファイバ１００がヒンジ２０６内を通過することにより、光ファイバ１００の両端がそれぞれ表示部２０２及び操作部２０４に位置している。更に、光ファイバ１００の両端には光伝送モジュール１０が設けられている。そして、各光伝送モジュール１０は、回路基板２０８，２１０上に実装されている。より詳細には、回路基板２０８，２１０にはそれぞれ、図示しないランドが設けられている。そして、図５に示す筐体１６のｚ軸方向の負方向側の底面は、該ランド上にはんだにより実装される。これにより、回路基板２０８と回路基板２１０とは通信可能に接続されている。
【００３８】
（効果）
以下に説明するように、プラグ１によれば、ホルダ６と光電変換素子搭載部８との間に位置ずれが発生した場合でも筐体１６に装着できるプラグ１及び光伝送モジュール１０を提供できる。
【００３９】
より詳細には、図９に示す従来のプラグ５００では、図９に示すように、光電変換素子搭載部５０６のｘ軸方向の正方向側の面Ｐ１の外縁とホルダ５０８のｘ軸方向の負方向側の面Ｐ２の外縁とは、溝Ｖ以外の部分で一致している。そのため、図１０に示すように、光電変換素子搭載部５０６とホルダ５０８との間に位置ずれがわずかに発生しただけで、光電変換素子搭載部５０６がホルダ５０８からはみ出してしまう。光電変換素子搭載部５０６がホルダ５０８からはみ出すと、プラグ５００の大きさが、はみ出した分だけ大きくなる。その結果、プラグ５００を筐体５１２に装着することができなくなる。
【００４０】
一方、プラグ１では、図１に示すように、光電変換素子搭載部８の面Ｓ１のｙ軸方向に延在している辺の長さＷ１は、ホルダ６の面Ｓ２のｚ軸方向の負方向側においてｙ軸方向に延在している辺の長さＷ２よりも短く、かつ、面Ｓ１のｚ軸方向に延在している辺の長さＨ１は、面Ｓ２のｚ軸方向に延在している辺の長さＨ２よりも短い。すなわち、ｘ軸方向の負方向側からプラグ１を平面視した場合、光電変換素子搭載部８の周囲には、ホルダ６がはみ出している。よって、ホルダ６と光電変換素子搭載部８との間に位置ずれがわずかに発生した場合でも、光電変換素子搭載部８がホルダ６からはみ出すことがない。その結果、ホルダ６と光電変換素子搭載部８との間に位置ずれが発生した場合でも筐体１６にプラグ１を装着できる。
【００４１】
光ファイバ１００は、溝Ｖにおいて接着剤によりホルダ６に接着している。プラグ１では、更に、光ファイバ１００を保持する保持部材９を備えている。そのため、光ファイバ１００とホルダ６とを強固に固定することが可能になる。
【００４２】
保持部材９に設けられている凸部６５ａ，６５ｂは、プラグ１を筐体１６に装着する際、図５に示すように、筐体１６の内周面の凹部１７ａ，１７ｂとそれぞれ嵌合する。そのため、プラグ１が筐体１６から外れにくい。
【００４３】
また、光電変換素子４の光軸延長上に光ファイバ１００が保持されているため、光ファイバ１００と光電変換素子４との間で光路を変換する必要がなくなる。そのため、光路変換のための部材を設ける必要がなく、プラグ１の小型化が図られる。
【００４４】
保持部材９は、ホルダ６と一体成型されているので、光ファイバ１００を安定して保持することができる。
【００４５】
光電変換素子４の受光面は、面Ｓ１の法線方向から見たときに、面Ｓ１の対角線の交点上に重なっていることよって、光ファイバ１００は、プラグ１の中心に位置し、対称性を有している。これにより、以下に説明するように、プラグ１の取り扱いが容易になる。例えば、光ファイバ１００がｙ軸方向の正方向側にずれた状態でプラグ１に接続されている場合には、プラグ１を筐体１６から取り外す際に、プラグ１の光ファイバ１００が接続された部分（プラグ１のｙ軸方向の正方向側の部分）は、光ファイバ１００により引っ張り上げられるので筐体１６から外れる。ただし、プラグ１のｙ軸方向の負方向側の部分は、光ファイバ１００により引っ張り上げられないので筐体１６から外れない。そのため、プラグ１が光ファイバ１００を中心として回転してしまう。すなわち、プラグ１が筐体１６からスムーズに外れない。
【００４６】
一方、光ファイバ１００がプラグ１の中心に接続されていると、プラグ１のｙ軸方向の負方向側の部分とプラグ１のｙ軸方向の正方向側の部分とに等しい力が働くようになる。そのため、プラグ１が光ファイバ１００を中心として回転しない。よって、光ファイバ１００をプラグ１の中心に位置させることにより、プラグ１の扱いが容易となる。
【００４７】
光電変換素子４は、樹脂封止されていることによって、耐環境性が向上する。また、他の部分との接着が容易になる。
【００４８】
ここで、プラグ１の組み立て時には、基板８３に実装された光電変換素子４の光軸と溝Ｖ１の底部とによって、ホルダ６と光電変換素子搭載部８との位置を合わせ、その後、溝Ｖに光ファイバ１００を固定する。そのため、光電変換素子４と光ファイバ１００とを精度よく位置合わせすることが可能である。より詳細には、一般的なプラグでは、ホルダと光電変換素子搭載部とをそれぞれの外形を用いて位置合わせする。その後、ホルダに光ファイバを固定する。ところが、この場合には、ホルダの製造ばらつきにより、ホルダにおける溝の位置がばらつくおそれがある。その結果、溝と光電変換素子搭載部との間に位置ずれが発生し、光電変換素子と光ファイバとの間に位置ずれが発生する。
【００４９】
一方、プラグ1では、溝Ｖを用いて、ホルダ６と光電変換素子搭載部８とを位置合わせしている。その後、溝Ｖに光ファイバ１００を固定している。すなわち、ホルダ６と光電変換素子搭載部８とは、溝Ｖを基準として位置合わせされている。そのため、溝Ｖの位置がばらついたとしても、光電変換素子４と光ファイバ１００との間には位置ずれが発生しない。
【００５０】
更に、プラグ１の組み立て後に、溝Ｖに光ファイバ１００を載置すればよいため、様々な長さの光ファイバ１００を有するプラグ１を、要求に応じて作製することができる。
【００５１】
光ファイバ１００の接着用の接着剤と光電変換素子搭載部８の接着用の接着材とは、異なる材料によって構成されている。より詳細には、光ファイバ１００と溝Ｖとを接着する場合、接着面は、透明である必要がある。そのため、透明接着剤を用いる。一方、光電変換素子搭載部８とホルダ６とを接着する場合は、接着面は、透明である必要はない。そのため、接着強度を重視した接着剤を用いるとよい。
【００５２】
（第１の変形例）
以下に、第１の変形例に係るプラグについて説明する。図７は、第１の変形例に係るプラグ１ａの外観斜視図である。
【００５３】
図７に示すように、プラグ１ａでは、面Ｓ１において、ｙ軸方向（長辺方向）に延在している辺の長さをＷ３、ｚ軸方向（短辺方向）に延在している辺の長さをＨ３とし、面Ｓ２において、ｙ軸方向（面Ｓ２における長辺方向）に延在している辺の長さをＷ４、ｚ軸方向（面Ｓ２における短辺方向）に延在している辺の長さをＨ４とする。この場合、図７に示すように、Ｗ３はＷ４よりも長く、Ｈ３は、Ｈ４よりも長い。これによって、ｘ軸方向の正方向側からプラグ１ａを平面視した場合、ホルダ６の周囲には、光電変換素子搭載部８がはみ出している。これにより、ホルダ６と光電変換素子搭載部８との間に位置ずれが発生したときに、ホルダ６が光電変換素子搭載部８のｙ軸方向に延在している長さの範囲内に収まるようになる。
【００５４】
（第２の変形例）
以下に第２の変形例に係るプラグについて説明する。図８は、第２の変形例に係るプラグの基板８３ａの拡大図である。
【００５５】
図８に示すように、スルーホール導体４４，４６の代わりに、導電部材４８，４９が設けられていてもよい。導電部材４８，４９は、基板８３ａのｘ軸方向の正方向側の面及びｚ軸方向の負方向側の面に跨って設けられている。導電部材４８，４９は、基板８３ａのｘ軸方向の正方向側の面及びｚ軸方向の負方向側の面において、ｙ軸方向の負方向側から正方向側に向かって、この順に並ぶように設けられている。光電変換素子４は、導電部材４９に実装されており、導電部材４８とは、ワイヤＸを用いてワイヤボンディングによって電気的に接続されている。これによって、プラグ１と筐体１６との電気的な接続面を増やすことができる。
【００５６】
（その他の実施形態）
以上のように構成された本発明に係るプラグは、前記実施形態及び変形例に示したものに限らず、その要旨の範囲内において変更可能である。
【００５７】
なお、光電変換素子４の受光面は、面Ｓ１の法線方向から見たときに、面Ｓ１の対角線の交点上からずれて実装されていても良い。これによって、光ファイバ１００に対してプラグ１が左右対称な構造であるという制約をなくすことができ、光電変換素子搭載部８の未使用となっているスペースをなくすことができるので、光電変換素子搭載部８の小型化を図ることができる。よって、ホルダ６の小型化を図ることができ、プラグ１の小型化を図ることができる。
【００５８】
なお、光電変換素子４は、受光素子であるとしたが、発光素子であってもよい。
【００５９】
凸部６５ａ，６５ｂと凹部１７ａ，１７ｂとの凹凸が入れ替わっていてもよい。
【産業上の利用可能性】
【００６０】
以上のように、本発明は、プラグ及び光伝送モジュールに有用であり、特に、光電変換素子搭載部とホルダとの間に位置ずれが発生した場合でもプラグを筐体に装着できる点において優れている。
【符号の説明】
【００６１】
Ｖ  溝
Ｘ  ワイヤ
１  プラグ
４  光電変換素子
６  ホルダ
８  光電変換素子搭載部
９  保持部材
１０  光伝送モジュール
１６  筐体
４４，４６  スルーホール導体
６５ａ，６５ｂ  凸部
８１  封止部
８３  基板
９０  本体部
９２  かしめ部
９４  延在部
１００  光ファイバ
１０２  被覆
１０４  芯線
【図１】
2012068391.tif 000003
【図２】
2012068391.tif 000004
【図３】
2012068391.tif 000005
【図４】
2012068391.tif 000006
【図５】
2012068391.tif 000007
【図６】
2012068391.tif 000008
【図７】
2012068391.tif 000009
【図８】
2012068391.tif 000010
【図９】
2012068391.tif 000011
【図１０】
2012068391.tif 000012